(57)【要約】  【課題】  既存の便器においても、光触媒による抗菌作用、防臭作用、浄化作用の恩恵を蒙ることができるようにすること。  【解決手段】タンク内の水が主として用便後に便器内に放流されるようにしたトイレ装置において、光触媒液を担持体に含浸させて作製した固形物が前記放流前に前記水と接触させると共に、前記便器の開放部を覆う便蓋が閉じ位置にあるとき、前記便器の内部に紫外線が所定時間照射されるようにしてなるトイレ装置を構成した。固形物は、前記便器の後方に位置するロータンクに沈置したり、ロータンク上に設けられる手洗い鉢のドレインポートに載置したりするのが望ましい。また、紫外線の照射は、便蓋の内面に装着された紫外線照射装置から行ったり、便器の後方に設置された便座ボックスの内部に装着された紫外線照射装置から行ったりするのが望ましい。【選択図】  図３
2005232949.tif 000002
【特許請求の範囲】
【請求項１】
タンク内の水が主として用便後に便器内に放流されるようにしたトイレ装置において、光触媒液を担持体に含浸させて作製した固形物が前記放流前に前記水と接触させると共に、前記便器の開放部を覆う便蓋が閉じ位置にあるとき、前記便器の内部に紫外線が所定時間照射されるようにしてなるトイレ装置。
【請求項２】
前記タンクは前記便器の後方に位置するロータンクであって、前記固形物は、前記ロータンクに沈置される、請求項１記載のトイレ装置。
【請求項３】
前記タンクは前記便器の後方に位置するロータンクであって、前記固形物は、前記ロータンク上に設けられる手洗い鉢のドレインポートに載置される、請求項１記載のトイレ装置。
【請求項４】
前記紫外線の照射は、前記便蓋の内面に装着された紫外線照射装置からなされる、請求項１記載のトイレ装置。
【請求項５】
前記紫外線の照射は、前記便器の後方に設置された便座ボックスの内部に装着された紫外線照射装置からなされる、請求項１記載のトイレ装置。
【発明の詳細な説明】
【技術分野】
【０００１】
本発明は、トイレ装置に関し、特に便器の内部表面を光触媒物質の作用で浄化させるようにしたトイレ装置に関するものである。
【背景技術】
【０００２】
近年、ＴｉＯ2で代表される光触媒の触媒反応に基づく抗菌、防臭、浄化等の技術が注目されている。これは、この光触媒は４００ｎｍ以下の波長の光、即ち紫外線エネルギーを受けて活性化され、その触媒反応で上記した抗菌、防臭、浄化等を行うものであって、多方面で活用できるからでさる。しかして、抗菌、防臭、浄化等を効果的に行うことが要請されるのは、トイレその他の衛生機器の分野であって、この分野においては、光触媒物質に関連する技術が、多々、提供されている。例えば、特許文献１は、トイレ室内部において光触媒の触媒反応による抗菌作用，防臭、浄化作用等を効果的に行わせるようにするための一例として、「便器の内部表面に光触媒を保持させるとともに、便蓋に、光触媒を活性化する４００ｎｍ以下の波長の光を照射する光触媒用照射灯を設け、その照射灯２８から便器の内部表面に光を照射させるようにした」技術を開示している。
【特許文献１】特開平１１−７１８０３号公報  （第１〜５頁、図５）
【発明の開示】
【発明が解決しようとする課題】
【０００３】
たしかに、便器の内部表面に光触媒を保持させるとともに、便蓋に、光触媒を活性化する４００ｎｍ以下の波長の光を照射する光触媒用照射灯を設け、その照射灯２８から便器の内部表面に光を照射させるようにしたことで、最も汚れやすい内部表面の抗菌作用，防臭作用、浄化作用等を効果的に実効あらしめたことは評価に値するも、便器の内部表面に光触媒を保持させる点で、実用性への配慮に欠ける憾みがある。すなわち、便器の内部表面に光触媒を保持させるということは、陶器の便器の製造工程においてのみ可能であるので、この技術を既存の便器に施すことは出来ない。しかして、便器は一旦、家屋のトイレ空間に設置されると、新しいものに交換される当該家屋が取り壊されるまでの長期間（平均３０年）使用され続けるのが通例であるから、極端な場合、光触媒により抗菌作用、防臭作用、浄化作用のある便器の購入は、百年河清を待つに等しいことになる。
【０００４】
それ故に、本発明は、かかる不具合を除去し、既存の便器においても、光触媒による抗菌作用、防臭作用、浄化作用の恩恵を蒙ることができるようにすることを、技術的課題とするものである。
【課題を解決するための手段】
【０００５】
上記技術的課題を解決するために請求項１記載の発明において講じた技術的手段は、
「タンク内の水が主として用便後に便器内に放流されるようにしたトイレ装置において、光触媒液を担持体に含浸させて作製した固形物が前記放流前に前記水と接触させると共に、前記便器の開放部を覆う便蓋が閉じ位置にあるとき、前記便器の内部に紫外線が所定時間照射されるようにしてなるトイレ装置」
を構成したことである。
【０００６】
上記構成においては、請求項２で示すように、前記固形物を、前記便器の後方に位置するロータンクに沈置したり、請求項３で示すように、ロータンク上に設けられる手洗い鉢のドレインポートに載置したりするのが望ましい。
【０００７】
また、請求項１の構成においては、紫外線の照射は、請求項４に示すように、便蓋の内面に装着された紫外線照射装置からなされたり、請求項５に示すように、便器の後方に設置された便座ボックスの内部に装着された紫外線照射装置からなされたりするのが望ましい。
【発明の効果】
【０００８】
請求項１記載の発明によれば、タンクから便器内に放流される水は必ず光触媒を含有することになり、便器内部表面に光触媒が付着するので、この便器内部表面に付着した光触媒を便蓋側から紫外線を照射することにより、便器内部表面に付着した汚れを除去でき、更には近傍の除菌や脱臭も同時に行うことが出来、実用上、多大な効果を奏する。
【発明を実施するための最良の形態】
【０００９】
本発明を実施するめの最良の形態例を、図１〜図３に依拠して、説明する。
【００１０】
便器１の後部上面にロータンクカバー２が設置され、このロータンクカバー２の前部に便座３と便蓋４とが上下方向回動可能に取り付けられている。このロータンクカバー２の上側に手洗鉢５が設置されている。この手洗鉢５の後縁中央から上方に手洗吐水部６が立設され、この手洗吐水部６の先端側の下面に吐水口７が設けられている。ロータンクカバー２の側面には、フラッシュ操作用のレバーハンドル８が設けられている。
【００１１】
手洗鉢５の排水口５ａの下方にロータンク１２が設置されている。このロータンク１２内に規定水位まで注水するようにボールタップ３０（図２に２点鎖線にて表示）が設けられている。このボールタップ３０の１次側はフレキホース１５を介して止水栓１６へ接続されている。
【００１２】
ボールタップ３０の２次側に吐水口７への給水用のチューブ１４が接続されている。このチューブ１４の先端は、ロータンク１２の後部から上方に立ち上がるように取付部１４ａによって該ロータンク１２の後部上縁に係止されている。
【００１３】
前記手洗吐水部６の吐水口７に給水接続管１３の先端が連結されている。この給水接続管１３の後端はチューブ１４の上端に対し、上方から着脱自在に嵌合している。
【００１４】
マイコン２５を搭載した回路基板２６はロータンクカバー２内に配置されている。しかして、マイコン２５は、便蓋４の内面側に装着されて、便器１の内面１ａを略全周に亘って照準する紫外線発光ＬＥＤ４０に接続されており、所定の条件（後述）が成就されると、ＬＥＤ４０を励起して、所定時間、便器１の内面１ａを略全周に亘って紫外線を照射するようになっている。
【００１５】
なお、ロータンクカバー２内の電気機器（マイコン２５、上記した回路基板２６、図示されない温水洗浄機構の電気要素等）に対しては、コンセント２９、プラグ２８及びコード２７を介して商用電源から給電される。
【００１６】
レバーハンドル８は、ロータンク１２内の底部のフロート式フラッシュ弁にチェーン等を介して連結されており、このレバーバンドル８を回すとフロート式フラッシュ弁が開き、ロータンク１２内の水が便器１内へ放出される。
【００１７】
ボールタップ３０は、先端に浮玉３２が設けられた回動アーム３１を備えており、ロータンク１２内の水位が低下するとフロート３２と共に該回動アーム３１が下降し、ボールタップ３０が開弁し、ロータンク１２内に注水される。注水に伴ってロータンク１２内の水位が満水位まで上昇すると、浮玉３２及び回動アーム３１が上昇し、ボールタップ３０が閉弁する。同時にフロート式フラッシュ弁が、増加した水の圧力で閉じられる。
【００１８】
この回動アーム３１にマグネット３３が取り付けられている。ボールタップ３０には、マグネット３３が近接・離反するように感磁式スイッチ３４が設けられている。
【００１９】
ロータンク１２内の水位が満水位にあるときには該スイッチ３４はＯＦＦとなっており、満水位よりも低下すると、マグネット３３が該スイッチ３４から離反することにより該スイッチ３４がＯＮとなる。このスイッチ３４のＯＮ・ＯＦＦによりＯＮ・ＯＦＦされる。
【００２０】
このように構成された手洗鉢５付きロータンク１２が付設された便器１にあっては、便器洗浄用レバーハンドル８を操作すると、便器１の便鉢にロータンク１２から水が流されると共に、ボールタップ３０が開栓して、水が開かれた止水栓１６、ホース１６及び給水用チューブ１４を介して吐水口７に至り、そしてこの水は吐水口７から穴５ａを通過して、ロータンク１２内に供給される。吐水口７からロータンク１２内に供給された水の水位が満水位まで上昇すると、ボールタップ３０が閉栓すると共に、スイッチ３４がＯＦＦとなる。
【００２１】
上記したような態様で水が便器１の内部に放流されると、この水は便器１の内面１ａを相当の勢いでもって流れ落ち、周知のように、排泄物を図示されない下水道に押し出す。しかして、便器１の内面１ａは、排泄物の付着により汚れるが、この汚れは、便器１の内面１ａを相当の勢いでもって流れ落ちる水により、ある程度は除去できるが、完全に除去できるものではなく、汚れの完全な除去は、光触媒の触媒反応によりなされる。
【００２２】
すなわち、便器１の内面１ａを相当の勢いでもって流れ落ちる水は、ロータンク１２から供給される。しかして、ロータンク１２内の水の中には、光触媒液を担持体に含浸させて作製した固形物９０が設置ないしは沈置されているので、便器１の内面１ａを相当の勢いでもって流れ落ちる水が光触媒を含有しており、便器１の内面１ａには、目には見えないが光触媒物質が付着している。従って、マイコン２５をして、便蓋４の内面側に装着されたＬＥＤ４０を励起せしめれば、便器１の内面１ａを略全周に亘って紫外線が照射され、これにより汚物の有機物質が分解され、水に流されやすくなり、次回の水の放流により、便器１の内面１ａの清掃が全うされることになる。同時に、周辺の除菌や脱臭も行われる。
【００２３】
紫外線の照射は人体への影響を考慮して、便蓋４が閉じられているときにしかなされない。具体的には、マイコン２５が図示されないセンサにより、便蓋４が閉じられていることを確認したときしか、ＬＥＤ４０を励起しないようにプログラムされている。また、ＬＥＤ４０の励起は、レバーハンドル８の操作によるフラッシングの回数が所定値に達したときに行われるようにプログラムされる。具体的には、マイコン２５は、スイッチ３４のオン・オフされる回数をカウントし、この計数値が所定値に達したら、便蓋４が閉じられていることを条件として、ＬＥＤ４０を励起して、便器１の内面１ａの略全周に亘って紫外線が照射する。そして、前記計数値をクリアする。
【００２４】
上記した光触媒液を担持体に含浸させて作製した固形物９０は、ボール状であっても良いし、錠剤の形態であっても良い。錠剤の場合は、手洗鉢５の排水口５ａからロータンク１２内に投下できる。ボール状の場合は、その体積を適宜調整して寿命を延ばすことができる。
【００２５】
また、光触媒液を担持体に含浸させて作製した固形物９０を、手洗鉢５の排水口５ａを封鎖するような態様で、載置しても良い。この場合、吐水口７から穴５ａを通過してロータンク１２内に供給された水は、必ず固形物９０を通過する際に光触媒物質を含有するので、便器１の内面１ａを相当の勢いでもって流れ落ちる水が光触媒を含有しており、便器１の内面１ａには、目には見えないが光触媒物質が付着している。従って、マイコン２５をして、便蓋４の内面側に装着されたＬＥＤ４０を励起せしめれば、便器１の内面１ａを略全周に亘って紫外線が照射され、これにより汚物の有機物質が分解され、水に流されやすくなり、次回の水の放流により、便器１の内面１ａの清掃が全うされることになる。
【００２６】
尚、図４に示すように、便器１の後方に設置されて便座３及び便蓋４が枢着される便座ボックス９の内部に装着された紫外線ＬＥＤ４０から、紫外線を便器１の内面１ａの略全周及び便器１内部の溜め水の表面に照射しても良い。かような構成を採用するメリットは、便蓋４の内面に紫外線ＬＥＤ４０を装着する場合に比べて、ヒンジピン内の配線という煩瑣な作業から解放され、配線距離を短くできることである。
【００２７】
以上、本発明の実施の形態について説明したが、本発明は上述した実施の形態に限定される意図はなく、本発明の趣旨に沿った形態のトイレ装置であれば、どのようなものでもよい。
【図面の簡単な説明】
【００２８】
【図１】本発明に係るトイレ装置の外観斜視図である。
【図２】図１に示すトイレ装置のロータンク近傍の内部構造を示す図である。
【図３】図１に示すトイレ装置の便器近傍の内部構造を示す図である。
【図４】図１に示すトイレ装置の変形例における、便器近傍の内部構造を示す図である。
【符号の説明】
【００２９】
１：便器
４：便蓋
５：手洗い鉢
１２： ロータンク（タンク）
４０：紫外線照射装置（紫外線照射ＬＥＤ）
９０：光触媒液を担持体に含浸させて作製した固形物
【図１】
2005232949.tif 000003
【図２】
2005232949.tif 000004
【図３】
2005232949.tif 000005
【図４】
2005232949.tif 000006